(57)【要約】【課題】光クロスコネクト機能を実現するＷＳＳの個数及び配線数を削減して、装置規模を縮小する。【解決手段】方路数Ｎ（Ｎ＝１、２、・・・）の光クロスコネクト処理を行う場合に、Ｎ個の入力方路毎に配置される、２入力、Ｎ出力の２×Ｎ波長選択スイッチ１１−１〜１１−Ｎと、Ｎ個の出力方路毎に配置される、Ｎ入力、２出力のＮ×２波長選択スイッチ１２−１〜１２−Ｎとを有し、２×Ｎ波長選択スイッチ１１−１〜１１−Ｎの一方の入力ポートには、入力方路からの光信号が入力し、他方の入力ポートには、挿入方路からの挿入光信号が入力し、Ｎ×２波長選択スイッチ１２−１〜１２−Ｎの一方の出力ポートからの光信号は、出力方路へ出力し、他方の出力ポートからの光信号は、分岐光信号として分岐方路へ出力する。【選択図】図１
2008147804.tif 000002
【特許請求の範囲】
【請求項１】
方路数Ｎ（Ｎ＝１、２、・・・）の光クロスコネクト処理を行う光クロスコネクト装置において、
Ｎ個の入力方路毎に配置される、２入力、Ｎ出力の２×Ｎ波長選択スイッチと、
Ｎ個の出力方路毎に配置される、Ｎ入力、２出力のＮ×２波長選択スイッチと、
を有し、
前記２×Ｎ波長選択スイッチの一方の入力ポートには、入力方路からの光信号が入力し、他方の入力ポートには、挿入方路からの挿入光信号が入力し、
前記Ｎ×２波長選択スイッチの一方の出力ポートからの光信号は、出力方路へ出力し、他方の出力ポートからの光信号は、分岐光信号として分岐方路へ出力する、
ことを特徴とする光クロスコネクト装置。
【請求項２】
入力方路＃ｎ（ｎ＝１、２、・・・、Ｎ）に配置される前記２×Ｎ波長選択スイッチ＃ｎに対し、一方の入力ポートには、入力方路＃ｎからの光信号が入力し、他方の入力ポートには、挿入方路＃ｎからの前記挿入光信号が入力し、出力方路＃ｎ（ｎ＝１、２、・・・、Ｎ）に配置される前記Ｎ×２波長選択スイッチ＃ｎに対し、一方の出力ポートからの光信号は、出力方路＃ｎへ出力し、他方の出力ポートからの光信号は、前記分岐光信号として分岐方路＃ｎへ出力することを特徴とする請求項１記載の光クロスコネクト装置。
【請求項３】
前記２×Ｎ波長選択スイッチ＃ｎのＮ出力ポートのうち、（Ｎ−１）個の出力ポートは、出力方路＃ｎ以外の出力方路に配置される、（Ｎ−１）個の前記Ｎ×２波長選択スイッチの入力ポートそれぞれに接続し、前記Ｎ出力ポートの残り１つの出力ポートからの光信号は、前記分岐光信号として分岐方路＃ｎへ出力し、前記２×Ｎ波長選択スイッチの出力ポートと接続しない前記Ｎ×２波長選択スイッチ＃ｎの入力ポートには、挿入方路＃ｎからの前記挿入光信号が入力することを特徴とする請求項２記載の光クロスコネクト装置。
【請求項４】
前記挿入光信号を受信する入力ポートと、前記挿入光信号を前記２×Ｎ波長選択スイッチ＃ｎの他方の入力ポートへ送信する第１の出力ポートと、前記挿入光信号を前記Ｎ×２波長選択スイッチ＃ｎの入力ポートへ送信する第２の出力ポートとを有する１入力、２出力の１×２カプラ＃ｎが挿入方路＃ｎに配置され、前記１×２カプラ＃ｎは、前記挿入光信号を出力方路＃ｎへ向けて挿入する場合は、前記第２の出力ポートから前記挿入光信号を出力し、前記挿入光信号を出力方路＃ｎ以外の出力方路へ向けて挿入する場合は、前記第１の出力ポートから前記挿入光信号を出力することを特徴とする請求項２記載の光クロスコネクト装置。
【請求項５】
前記２×Ｎ波長選択スイッチ＃ｎからの第１の分岐光信号を受信する第１の入力ポートと、前記Ｎ×２波長選択スイッチ＃ｎからの第２の分岐光信号を受信する第２の入力ポートと、前記第１の分岐光信号または前記第２の分岐信号のいずれかを出力する出力ポートとを有する２入力、１出力の２×１カプラ＃ｎが分岐方路＃ｎに配置されることを特徴とする請求項２記載の光クロスコネクト装置。
【請求項６】
方路数Ｎ（Ｎ＝１、２、・・・）の光クロスコネクト処理を行う光クロスコネクト装置において、
Ｎ個の入力方路毎に配置される、２入力、（Ｎ＋１）出力の２×（Ｎ＋１）波長選択スイッチと、
Ｎ個の出力方路毎に配置される、（Ｎ＋１）入力、２出力の（Ｎ＋１）×２波長選択スイッチと、
を有し、
前記２×（Ｎ＋１）波長選択スイッチの一方の入力ポートには、入力方路からの光信号が入力し、他方の入力ポートには、挿入方路からの挿入光信号が入力し、
前記（Ｎ＋１）×２波長選択スイッチの一方の出力ポートからの光信号は、出力方路へ出力し、他方の出力ポートからの光信号は、分岐光信号として分岐方路へ出力する、
ことを特徴とする光クロスコネクト装置。
【請求項７】
入力方路＃ｎ（ｎ＝１、２、・・・、Ｎ）に配置される前記２×（Ｎ＋１）波長選択スイッチ＃ｎに対し、一方の入力ポートには、入力方路＃ｎからの光信号が入力し、他方の入力ポートには、挿入方路＃ｎからの前記挿入光信号が入力し、出力方路＃ｎ（ｎ＝１、２、・・・、Ｎ）に配置される前記（Ｎ＋１）×２波長選択スイッチ＃ｎに対し、一方の出力ポートからの光信号は、出力方路＃ｎへ出力し、他方の出力ポートからの光信号は、前記分岐光信号として分岐方路＃ｎへ出力することを特徴とする請求項６記載の光クロスコネクト装置。
【請求項８】
前記２×（Ｎ＋１）波長選択スイッチ＃ｎの（Ｎ＋１）出力ポートのうちの１番目出力ポートは、出力方路＃ｎに配置される、前記（Ｎ＋１）×２波長選択スイッチ＃ｎの２番目入力ポートに接続し、（Ｎ＋１）出力ポートのうちの２番目出力ポートは、前記（Ｎ＋１）×２波長選択スイッチ＃ｎの１番目入力ポートに接続し、（Ｎ＋１）出力ポートの残りの（（Ｎ＋１）−２）個の出力ポートは、出力方路＃ｎ以外の出力方路に配置される、（Ｎ−１）個の前記（Ｎ＋１）×２波長選択スイッチの入力ポートそれぞれに接続することを特徴とする請求項７記載の光クロスコネクト装置。
【発明の詳細な説明】
【技術分野】
【０００１】
本発明は光クロスコネクト装置に関し、特に方路数Ｎ（Ｎ＝１、２、・・・）の光クロスコネクト処理を行う光クロスコネクト装置に関する。
【背景技術】
【０００２】
ＷＤＭ（Wavelength Division Multiplex）を用いた光ネットワークでは、都市間の通信要求に対して、ＷＤＭ光の波長毎に出力先を変更する制御や、任意経路に任意波長の光の挿入（Ａｄｄ）及び任意経路から任意波長の光の分岐（Ｄｒｏｐ）を行うＯＡＤＭ（Optical Add and Drop Multiplexing）といった制御が行われている。
【０００３】
また、通信網のある都市（ノード）間で障害が発生した場合には、回線を瞬時に迂回経路に切り替えると同時に、その経路で使用可能な波長に瞬時に切り替える制御が要求される。このような光スイッチ制御である光クロスコネクトを実現するために、近年では、任意の波長を任意の方向に切り替え可能とする波長選択スイッチ（ＷＳＳ：Wavelength Selective Switch）が注目されている。
【０００４】
図３３は１×Ｎ（Ｎ＝３）のＷＳＳの基本構成を示す図である。ＷＳＳ４０は、分光光学系４１、レンズ４２、ミラー４３から構成されており、入力ポートInからの入射光を出力ポートout１〜out３のいずれか１つの出力ポートから出力する。図に示すように、ミラー４３の角度を変えることによって、出力ポートの切替が行われる。
【０００５】
図３４は従来の光クロスコネクト装置の構成を示す図である。光クロスコネクト装置５０は、１×４のＷＳＳ５１−１〜５１−４、４×１のＷＳＳ５２−１〜５２−４、合波器５３−１〜５３−４、分波器５４−１〜５４−４、ＷＤＭアンプ５５−１〜５５−４、５６−１〜５６−４、送信器Ｔｘ、受信器Ｒｘを用いて、Ａｄｄする波長を固定としたＷＸＣ（wavelength cross-connect）であり、方路数を４、１つの方路を通る波長多重数を４０ｃｈとしている。
【０００６】
入力方路Ｒin＃１〜Ｒin＃４のそれぞれは、ＷＤＭアンプ５５−１〜５５−４を介して、１×４のＷＳＳ５１−１〜５１−４の入力ポートに接続する。４×１のＷＳＳ５２−１〜５２−４の出力ポートそれぞれは、ＷＤＭアンプ５６−１〜５６−４を介して、出力方路Ｒout＃１〜Ｒout＃４に接続する。Ａｄｄ方路Ａ＃１〜Ａ＃４には、Ａｄｄ方路毎に４０台の送信器Ｔｘが配置され、送信器Ｔｘを介して、合波器５３−１〜５３−４の入力ポートと接続する。Ｄｒｏｐ方路Ｄ＃１〜Ｄ＃４には、Ｄｒｏｐ方路毎に４０台の受信器Ｒｘが配置され、分波器５４−１〜５４−４の出力ポートは、受信器Ｒｘを介して、Ｄｒｏｐ方路Ｄ＃１〜Ｄ＃４と接続する。
【０００７】
ＷＳＳ５１−１の出力ポートout１は、ＷＳＳ５２−２の入力ポートin１と接続し、ＷＳＳ５１−１の出力ポートout２は、ＷＳＳ５２−３の入力ポートin１と接続し、ＷＳＳ５１−１の出力ポートout３は、ＷＳＳ５２−４の入力ポートin１と接続し、ＷＳＳ５１−１の出力ポートout４は、分波器５４−１の入力ポートと接続する。
【０００８】
ＷＳＳ５１−２の出力ポートout１は、ＷＳＳ５２−１の入力ポートin１と接続し、ＷＳＳ５１−２の出力ポートout２は、ＷＳＳ５２−３の入力ポートin２と接続し、ＷＳＳ５１−２の出力ポートout３は、ＷＳＳ５２−４の入力ポートin２と接続し、ＷＳＳ５１−２の出力ポートout４は、分波器５４−２の入力ポートと接続する。
【０００９】
ＷＳＳ５１−３の出力ポートout１は、ＷＳＳ５２−１の入力ポートin２と接続し、ＷＳＳ５１−３の出力ポートout２は、ＷＳＳ５２−２の入力ポートin２と接続し、ＷＳＳ５１−３の出力ポートout３は、ＷＳＳ５２−４の入力ポートin３と接続し、ＷＳＳ５１−３の出力ポートout４は、分波器５４−３の入力ポートと接続する。
【００１０】
ＷＳＳ５１−４の出力ポートout１は、ＷＳＳ５２−１の入力ポートin３と接続し、ＷＳＳ５１−４の出力ポートout２は、ＷＳＳ５２−２の入力ポートin３と接続し、ＷＳＳ５１−４の出力ポートout３は、ＷＳＳ５２−３の入力ポートin３と接続し、ＷＳＳ５１−４の出力ポートout４は、分波器５４−４の入力ポートと接続する。
【００１１】
また、合波器５３−１の出力ポートは、ＷＳＳ５２−１の入力ポートin４と接続し、合波器５３−２の出力ポートは、ＷＳＳ５２−２の入力ポートin４と接続し、合波器５３−３の出力ポートは、ＷＳＳ５２−３の入力ポートin４と接続し、合波器５３−４の出力ポートは、ＷＳＳ５２−４の入力ポートin４と接続する。
【００１２】
このような構成の光クロスコネクト装置５０では、送信器Ｔｘは、固定波長の送信器であるため、任意波長のＡｄｄを行うことができない。また、合波器５３−１〜５３−４及び分波器５４−１〜５４−４は、光損失が大きいので、損失補償を行うために、分散補償ファイバ（ＤＣＦ：Dispersion Compensation Fiber）と合わせて、高価なＷＤＭアンプ５５−１〜５５−４、５６−１〜５６−４の配置が必要になる。
【００１３】
図３５は従来の光クロスコネクト装置の構成を示す図であり、図３６はＷＳＳの入出力ポート番号を示す図である。光クロスコネクト装置６０は、上記の光クロスコネクト装置５０の機能に対して、任意波長のＡｄｄを可能とした装置である。
【００１４】
光クロスコネクト装置６０は、入力方路Ｒin＃１〜Ｒin＃４側には、１×７のＷＳＳ６１−１〜６１−４が配置され、Ａｄｄ方路Ａ＃１〜Ａ＃４側には１×４のＷＳＳ６６−１〜６６−４が配置される。出力方路Ｒout＃１〜Ｒout＃４側には、７×１のＷＳＳ６２−１〜６２−４が配置され、Ｄｒｏｐ方路Ｄ＃１〜Ｄ＃４側には４×１のＷＳＳ６７−１〜６７−４が配置される。
【００１５】
ＷＳＳの接続関係において、ＷＳＳ６１−１の出力ポートout１は、ＷＳＳ６２−２の入力ポートin１に接続し、ＷＳＳ６１−１の出力ポートout２は、ＷＳＳ６２−３の入力ポートin１に接続し、ＷＳＳ６１−１の出力ポートout３は、ＷＳＳ６２−４の入力ポートin１に接続し、ＷＳＳ６１−１の出力ポートout４は、ＷＳＳ６７−１の入力ポートin１に接続し、ＷＳＳ６１−１の出力ポートout５は、ＷＳＳ６７−２の入力ポートin１に接続し、ＷＳＳ６１−１の出力ポートout６は、ＷＳＳ６７−３の入力ポートin１に接続し、ＷＳＳ６１−１の出力ポートout７は、ＷＳＳ６７−４の入力ポートin１に接続する。
【００１６】
ＷＳＳ６１−２の出力ポートout１は、ＷＳＳ６２−１の入力ポートin１に接続し、ＷＳＳ６１−２の出力ポートout２は、ＷＳＳ６２−３の入力ポートin２に接続し、ＷＳＳ６１−２の出力ポートout３は、ＷＳＳ６２−４の入力ポートin２に接続し、ＷＳＳ６１−２の出力ポートout４は、ＷＳＳ６７−１の入力ポートin２に接続し、ＷＳＳ６１−２の出力ポートout５は、ＷＳＳ６７−２の入力ポートin２に接続し、ＷＳＳ６１−２の出力ポートout６は、ＷＳＳ６７−３の入力ポートin２に接続し、ＷＳＳ６１−２の出力ポートout７は、ＷＳＳ６７−４の入力ポートin２に接続する。
【００１７】
ＷＳＳ６１−３の出力ポートout１は、ＷＳＳ６２−１の入力ポートin２に接続し、ＷＳＳ６１−３の出力ポートout２は、ＷＳＳ６２−３の入力ポートin２に接続し、ＷＳＳ６１−３の出力ポートout３は、ＷＳＳ６２−４の入力ポートin３に接続し、ＷＳＳ６１−３の出力ポートout４は、ＷＳＳ６７−１の入力ポートin３に接続し、ＷＳＳ６１−３の出力ポートout５は、ＷＳＳ６７−２の入力ポートin３に接続し、ＷＳＳ６１−３の出力ポートout６は、ＷＳＳ６７−３の入力ポートin３に接続し、ＷＳＳ６１−３の出力ポートout７は、ＷＳＳ６７−４の入力ポートin３に接続する。
【００１８】
ＷＳＳ６１−４の出力ポートout１は、ＷＳＳ６２−１の入力ポートin３に接続し、ＷＳＳ６１−４の出力ポートout２は、ＷＳＳ６２−２の入力ポートin３に接続し、ＷＳＳ６１−４の出力ポートout３は、ＷＳＳ６２−３の入力ポートin３に接続し、ＷＳＳ６１−４の出力ポートout４は、ＷＳＳ６７−１の入力ポートin４に接続し、ＷＳＳ６１−４の出力ポートout５は、ＷＳＳ６７−２の入力ポートin４に接続し、ＷＳＳ６１−４の出力ポートout６は、ＷＳＳ６７−３の入力ポートin４に接続し、ＷＳＳ６１−４の出力ポートout７は、ＷＳＳ６７−４の入力ポートin４に接続する。
【００１９】
また、ＷＳＳ６６−１の出力ポートout１は、ＷＳＳ６２−１の入力ポートin４に接続し、ＷＳＳ６６−１の出力ポートout２は、ＷＳＳ６２−２の入力ポートin４に接続し、ＷＳＳ６６−１の出力ポートout３は、ＷＳＳ６２−３の入力ポートin４に接続し、ＷＳＳ６６−１の出力ポートout４は、ＷＳＳ６２−４の入力ポートin４に接続する。
【００２０】
ＷＳＳ６６−２の出力ポートout１は、ＷＳＳ６２−１の入力ポートin５に接続し、ＷＳＳ６６−２の出力ポートout２は、ＷＳＳ６２−２の入力ポートin５に接続し、ＷＳＳ６６−２の出力ポートout３は、ＷＳＳ６２−３の入力ポートin５に接続し、ＷＳＳ６６−２の出力ポートout４は、ＷＳＳ６２−４の入力ポートin５に接続する。
【００２１】
ＷＳＳ６６−３の出力ポートout１は、ＷＳＳ６２−１の入力ポートin６に接続し、ＷＳＳ６６−３の出力ポートout２は、ＷＳＳ６２−２の入力ポートin６に接続し、ＷＳＳ６６−３の出力ポートout３は、ＷＳＳ６２−３の入力ポートin６に接続し、ＷＳＳ６６−３の出力ポートout４は、ＷＳＳ６２−４の入力ポートin６に接続する。
【００２２】
ＷＳＳ６６−４の出力ポートout１は、ＷＳＳ６２−１の入力ポートin７に接続し、ＷＳＳ６６−４の出力ポートout２は、ＷＳＳ６２−２の入力ポートin７に接続し、ＷＳＳ６６−４の出力ポートout３は、ＷＳＳ６２−３の入力ポートin７に接続し、ＷＳＳ６６−４の出力ポートout４は、ＷＳＳ６２−４の入力ポートin７に接続する。
【００２３】
Ａｄｄ方路において、Ａｄｄ方路Ａ＃１には、送信波長が可変な送信器Ｔｘｖ−１〜Ｔｘｖ−４０と、５台の８×１のＷＳＳ６３ａ−１〜６３ａ−５と、５×１のＷＳＳ６４−１と、ＷＤＭアンプ６５−１が配置される。
【００２４】
送信器Ｔｘｖ−１〜Ｔｘｖ−４０は、４０波それぞれの光信号を送信する。ＷＳＳ６３ａ−１〜６３ａ−５は、送信器Ｔｘｖ−１〜Ｔｘｖ−４０から送信される光信号を８波毎に各ＷＳＳで受信して任意の１波を出力する。ＷＳＳ６４−１は、ＷＳＳ６３ａ−１〜６３ａ−５から送信される５波の光信号を受信して任意の１波を出力する。ＷＤＭアンプ６５−１は、ＷＳＳ６４−１の出力を増幅してＡｄｄ信号として、ＷＳＳ６６−１へ送信する。他のＡｄｄ方路Ａ＃２〜Ａ＃４の構成についても同様である。
【００２５】
Ｄｒｏｐ方路において、Ｄｒｏｐ方路Ｄ＃１には、ＷＤＭアンプ６８−１と、１×５のＷＳＳ６９−１と、５台の１×８のＷＳＳ７０ａ−１〜７０ａ−５と、受信器Ｒｘ−１〜Ｒｘ−４０とが配置される。
【００２６】
ＷＤＭアンプ６８−１は、ＷＳＳ６７−１から出力されたＤｒｏｐ信号を増幅する。ＷＳＳ６９−１は、５出力ポートがそれぞれ１×８のＷＳＳ７０ａ−１〜７０ａ−５の入力ポートと接続しており、ＷＳＳ７０ａ−１〜７０ａ−５は、増幅後のＤｒｏｐ信号を、任意の１ポートから出力する。ＷＳＳ７０ａ−１〜７０ａ−５の出力ポートは、８出力ポート毎に、受信器Ｒｘ−１〜Ｒｘ−８、Ｒｘ−９〜Ｒｘ−１６、Ｒｘ−１７〜Ｒｘ−２４、Ｒｘ−２５〜Ｒｘ−３２、Ｒｘ−３３〜Ｒｘ−４０に接続し、任意の出力ポートから１波を出力する。受信器Ｒｘ−１〜Ｒｘ−４０は、受信した光信号を出力する。他のＤｒｏｐ方路Ｄ＃２〜Ｄ＃４の構成についても同様である。
【００２７】
このような構成の光クロスコネクト装置６０は、合波器、分波器を用いずに、１×７／７×１のＷＳＳ、１×４／４×１のＷＳＳ、１×８／８×１のＷＳＳ、１×５／５×１のＷＳＳを組み合わせて、任意のＡｄｄ波長を可能とするＷＸＣであり、図３４と同様に、方路数は４、１つの方路を通る波長多重数が４０ｃｈの光クロスコネクトを行うことができる（例えば、Ａｄｄ方路Ａ＃１上のＷＳＳ６３ａ−１〜６３ａ−５及びＷＳＳ６４−１で、高速スイッチングを行うことでＷＤＭアンプ６５−１から４０波の波長多重信号を出力し、４０波の波長多重信号をＷＳＳ６６−１によりＡｄｄする）。なお、方路数の増減には入出力方路側のＷＳＳポート数を、波長を増やすにはＡｄｄ／Ｄｒｏｐ側のＷＳＳポート数を増減することになる。
【００２８】
従来の光クロスコネクト技術として、個別チャネル毎に入出力ポートを有し、既存設備との接続を可能にした光クロスコネクト装置が提案されている（例えば、特許文献１）。
【特許文献１】特開２００４−３４３２３１号公報（段落番号〔００１７〕〜〔００１９〕，第１図）
【発明の開示】
【発明が解決しようとする課題】
【００２９】
図３５に示した光クロスコネクト装置６０は、Ａｄｄ／Ｄｒｏｐ側もＷＳＳで構成するために、図３４の光クロスコネクト装置５０と比べて、合波器、分波器が不要となるので損失劣化が低減され、ＤＣＦを含む高価なＷＤＭアンプの設置も不要となる。しかし、高価なＷＳＳ数が増加し、かつＷＳＳ同士を結合する配線数も多くなるので、装置規模が拡大するといった問題があった。
【００３０】
また、光クロスコネクト装置６０では、必ずしも同時に実行する必要がない光クロスコネクトルートが存在していた。図３７、図３８は光クロスコネクト状態を示すテーブルである。テーブルＴ６１は、図３５に示した光クロスコネクト装置６０における、入力方路Ｒin＃１及びＡｄｄ方路Ａ＃１に注目した場合の光クロスコネクト状態を示すテーブルであり、テーブルＴ６２は、入力方路Ｒin＃１及びＤｒｏｐ方路Ｄ＃１に注目した場合の光クロスコネクト状態を示すテーブルである。
【００３１】
なお、○印は同時実行可能を示す。例えば、テーブルＴ６１の「Ａｄｄ方路Ａ＃１から出力方路Ｒout＃１」のＡｄｄスイッチングと、「入力方路Ｒin＃１から出力方路Ｒout＃２」のスルースイッチングとは、同時実行可能である。
【００３２】
また、×印は同時実行不可能（どちらか一方の実行は可能）を示す。例えば、テーブルＴ６１の「Ａｄｄ方路Ａ＃１から出力方路Ｒout＃２」のＡｄｄスイッチングと、「入力方路Ｒin＃１から出力方路Ｒout＃２」のスルースイッチングとは、ＷＳＳ６２−２の出力ポートで衝突が生じるため同時実行不可能である。テーブルＴ６２についても同様である。
【００３３】
図３９は光クロスコネクト状態を示すテーブルである。テーブルＴ６３は、テーブルＴ６１、Ｔ６２の各欄の論理をとった状態を示している。テーブルＴ６１の欄の記号をａ、テーブルＴ６２の欄の記号をｂとすると、（ａ、ｂ）＝（○、○）に該当するテーブルＴ６３の欄は○、（ａ、ｂ）＝（○、×）＝（×、○）に該当するテーブルＴ６３の欄は×とする。
【００３４】
テーブルＴ６３において○印は、スルースイッチングと、Ａｄｄ／Ｄｒｏｐスイッチングとが同時実行可能であることを示す。例えば、「入力方路Ｒin＃１→出力方路Ｒout＃２」のスルースイッチングと、「Ａｄｄ方路Ａ＃１→出力方路Ｒout＃３」のＡｄｄスイッチングと、「入力方路Ｒin＃３→Ｄｒｏｐ方路Ｄ＃１」のＤｒｏｐスイッチングと、の３つの光クロスコネクトは同時実行可能である。
【００３５】
また、テーブルＴ６３において×印は、スルースイッチングと、Ａｄｄ／Ｄｒｏｐスイッチングとのどちらか一方が実行可能であることを示す。例えば、「入力方路Ｒin＃１→出力方路Ｒout＃２」のスルースイッチングと、「Ａｄｄ方路Ａ＃１→出力方路Ｒout＃１」かつ「入力方路Ｒin＃１→Ｄｒｏｐ方路Ｄ＃１」のＡｄｄ／Ｄｒｏｐスイッチングと、の光クロスコネクトは同時実行不可であり、「入力方路Ｒin＃１→出力方路Ｒout＃２」のスルースイッチングのみか、または「Ａｄｄ方路Ａ＃１→出力方路Ｒout＃１」かつ「入力方路Ｒin＃１→Ｄｒｏｐ方路Ｄ＃１」のＡｄｄ／Ｄｒｏｐスイッチングのみかのいずれか一方が実行できる。
【００３６】
ここで、入力方路Ｒinから出力方路Ｒoutへのスルースイッチングと、Ａｄｄ方路から出力方路ＲoutへのＡｄｄ及び入力方路ＲinからＤｒｏｐ方路へのＤｒｏｐのＡｄｄ／Ｄｒｏｐスイッチングとは、必ずしも時間的に同時に行われる必要はなく、いずれか一方が実行されていればよいが、テーブルＴ６３を見ると、同時実行可能な○印が付けられたスイッチングパターンが多く存在しており、光クロスコネクト装置６０には、無駄な配線構造が多いことがわかる。
【００３７】
このため、スルースイッチングとＡｄｄ／Ｄｒｏｐスイッチングとの同時実行可能な配線を削減すれば（テーブルＴ６３の○印を減らし、×印を多くすることにより）、さらなる光クロスコネクト装置全体の回路規模の低減化につながることが期待される。
【００３８】
本発明はこのような点に鑑みてなされたものであり、光クロスコネクト機能を実現するＷＳＳの個数及び配線数を削減して、装置規模を縮小した光クロスコネクト装置を提供することを目的とする。
【課題を解決するための手段】
【００３９】
本発明では上記課題を解決するために、図１に示すような、方路数Ｎ（Ｎ＝１、２、・・・）の光クロスコネクト処理を行う光クロスコネクト装置１において、Ｎ個の入力方路毎に配置される、２入力、Ｎ出力の２×Ｎ波長選択スイッチ１１−１〜１１−Ｎと、Ｎ個の出力方路毎に配置される、Ｎ入力、２出力のＮ×２波長選択スイッチ１２−１〜１２−Ｎと、を有し、２×Ｎ波長選択スイッチ１１−１〜１１−Ｎの一方の入力ポートには、入力方路からの光信号が入力し、他方の入力ポートには、挿入方路からの挿入光信号が入力し、Ｎ×２波長選択スイッチ１２−１〜１２−Ｎの一方の出力ポートからの光信号は、出力方路へ出力し、他方の出力ポートからの光信号は、分岐光信号として分岐方路へ出力する、ことを特徴とする光クロスコネクト装置１が提供される。
【００４０】
ここで、２×Ｎ波長選択スイッチ１１−１〜１１−Ｎの一方の入力ポートには、入力方路からの光信号が入力し、他方の入力ポートには、挿入方路からの挿入光信号が入力し、Ｎ×２波長選択スイッチ１２−１〜１２−Ｎの一方の出力ポートからの光信号は、出力方路へ出力し、他方の出力ポートからの光信号は、分岐光信号として分岐方路へ出力する。
【発明の効果】
【００４１】
本発明の光クロスコネクト装置は、方路数Ｎ（Ｎ＝１、２、・・・）の光クロスコネクト処理を行う場合に、Ｎ個の入力方路毎に配置される、２入力、Ｎ出力の２×Ｎ波長選択スイッチと、Ｎ個の出力方路毎に配置される、Ｎ入力、２出力のＮ×２波長選択スイッチと、を有し、２×Ｎ波長選択スイッチの一方の入力ポートには、入力方路からの光信号が入力し、他方の入力ポートには、挿入方路からの挿入光信号が入力し、Ｎ×２波長選択スイッチの一方の出力ポートからの光信号は、出力方路へ出力し、他方の出力ポートからの光信号は、分岐光信号として分岐方路へ出力する構成とした。これにより、スルースイッチングとＡｄｄ／Ｄｒｏｐスイッチングとが同時実行可能となる無駄なスイッチングパターンを削除することができるので、従来装置と比べて、ＷＳＳの個数及び配線数を格段に削除することが可能になる。
【発明を実施するための最良の形態】
【００４２】
以下、本発明の実施の形態を図面を参照して説明する。図１は光クロスコネクト装置の原理図である。光クロスコネクト装置１は、方路数Ｎ（Ｎ＝１、２、・・・）の光クロスコネクト処理を行う装置であって、Ｎ個の入力方路毎に配置される、２入力、Ｎ出力の２×Ｎ波長選択スイッチ１１−１〜１１−Ｎと、Ｎ個の出力方路毎に配置される、Ｎ入力、２出力のＮ×２波長選択スイッチ１２−１〜１２−Ｎとを有する。
【００４３】
入力方路＃ｎ（ｎ＝１、２、・・・、Ｎ）に配置される２×Ｎ波長選択スイッチ＃ｎに対し、一方の入力ポートには、入力方路＃ｎからの光信号が入力し、他方の入力ポートには、挿入方路（Ａｄｄ方路）＃ｎからの挿入光信号（Ａｄｄ信号）が入力する。
【００４４】
出力方路＃ｎ（ｎ＝１、２、・・・、Ｎ）に配置されるＮ×２波長選択スイッチ＃ｎに対し、一方の出力ポートからの光信号は、出力方路＃ｎへ出力し、他方の出力ポートからの光信号は、分岐光信号（Ｄｒｏｐ信号）として分岐方路（Ｄｒｏｐ方路）＃ｎへ出力する。なお、以降では波長選択スイッチをＷＳＳと呼ぶ。
【００４５】
次に光クロスコネクト装置１で用いる２×Ｎ／Ｎ×２のＷＳＳの基本構成について説明する。図２は２×ＮのＷＳＳの基本構成を示す図であり、図３はＮ×２のＷＳＳの基本構成を示す図である。
【００４６】
ＷＳＳ１１−１、１２−１は共に、分光光学系１１ａ、レンズ１１ｂ、ミラー１１ｃから構成され、ミラー１１ｃの角度を変えることによって、出力ポートの切替が行われる。ここで、ＷＳＳは、その構造上の理由から、隣接ポートに入力された２信号に対する出力先は必ず隣り合うことになるので、２入力信号のうち、一方の出力先を決めると、他方の入力信号の出力先は自動的に決定する。
【００４７】
例えば、ＷＳＳ１１−１の２つの入力ポートin１、in２のうち、外側に位置する入力ポートin１からの入力信号が、出力ポートout１から出力するのであれば、内側に位置する入力ポートin２からの入力信号は、出力ポートout１の内側に隣接する出力ポートout２から出力することになる（出力ポートout３、out４から出力することはない）。
【００４８】
また、ＷＳＳ１１−１の２つの入力ポートのうち、外側に位置する入力ポートin１からの入力信号が、出力ポートout２から出力するのであれば、内側に位置する入力ポートin２からの入力信号は、出力ポートout２の内側に隣接する出力ポートout３から出力する（出力ポートout１、４から出力することはない）。
【００４９】
Ｎ×２のＷＳＳ１２−１も同様であって、例えば、入力ポートin１から入力した信号を、出力ポートout１から出力させると、出力ポートout２は、入力ポートin２から入力された信号を出力することになる（入力ポートin３、４から信号を入力できない、すなわち、入力ポートin３、４から信号を入力しても出力ポートout２から出力されない）。
【００５０】
また、入力ポートin２から入力した信号を、出力ポートout１から出力させると、出力ポートout２は、入力ポートin３から入力された信号を出力することになる（入力ポートin１、４から信号を入力できない、すなわち、入力ポートin１、４から信号を入力しても出力ポートout２から出力されない）。このように、隣接するポートに入力する２信号は、ＷＳＳでスイッチングされると、入力ポートと対称的な位置にある、隣接する出力ポートから出力することになる。
【００５１】
次にＷＳＳのスイッチング不可となるスイッチ状態について図４〜図８を用いて説明する。図４〜図８は２×ＮのＷＳＳがスイッチング不可となる状態を示す図である。図４は出力ポートが隣接しない場合、図５は出力ポートが衝突する場合を示している。
【００５２】
ＷＳＳは、上述したように、隣接するポートに入力する２信号は、ＷＳＳのスイッチング後、入力ポートと対称的な位置にある隣接ポートから出力する構造を持つので、図４のような出力ポートが隣接しない場合のスイッチングは不可となる。また、図５のように、出力ポートが衝突する場合のスイッチングも不可となる。すなわち、行き先が等しい方路となるスイッチングは不可となる。
【００５３】
さらに、スイッチング不可となる状態として、図６はねじれ現象が生じる場合を示し、図７は入力ポートと対称的な位置に出力ポートが存在しない場合を示し、図８は１つの入力ポートから複数の出力ポートへ出力する場合を示している。
【００５４】
図６では、入力ポートin１からの入力信号が出力ポートout２から出力し、入力ポートin２からの入力信号が出力ポートout１から出力しており、ＷＳＳ内部で方路がねじれている（入力ポートin１からの入力信号が出力ポートout２から出力し、入力ポートin２からの入力信号が出力ポートout３から出力するならばスイッチング可）。このように、ＷＳＳ内部で光路が交差するねじれ現象が生じる場合のスイッチングは不可である。
【００５５】
また、図７のように、入力ポートin２からの入力信号が出力ポートout１から出力すると、入力ポートin１からの入力信号が出力する出力ポートは存在しないので、このような場合もスイッチング不可となる。さらに、図８のように、ＷＳＳの構造上、１つの入力ポートから複数の出力ポートへ出力することはできないため、この場合もスイッチング不可となる。
【００５６】
次に光クロスコネクト装置１の構成について説明する。図９は光クロスコネクト装置の構成を示す図である。光クロスコネクト装置１ａは、方路数を４、１つの方路を通る波長多重数を４０ｃｈとした装置であり、入力方路Ｒin＃１〜Ｒin＃４側には、２×４のＷＳＳ１１−１〜１１−４が配置され、出力方路Ｒout＃１〜Ｒout＃４側には、４×２のＷＳＳ１２−１〜１２−４が配置される。
【００５７】
２×４のＷＳＳ１１−１〜１１−４と、４×２のＷＳＳ１２−１〜１２−４との接続関係において、ＷＳＳ１１−１の出力ポートout１は、ＷＳＳ１２−２の入力ポートin１に接続し、ＷＳＳ１１−１の出力ポートout２は、ＷＳＳ１２−３の入力ポートin１に接続し、ＷＳＳ１１−１の出力ポートout３は、ＷＳＳ１２−４の入力ポートin１に接続する。
【００５８】
ＷＳＳ１１−２の出力ポートout１は、ＷＳＳ１２−１の入力ポートin１に接続し、ＷＳＳ１１−２の出力ポートout２は、ＷＳＳ１２−３の入力ポートin２に接続し、ＷＳＳ１１−２の出力ポートout３は、ＷＳＳ１２−４の入力ポートin２に接続する。
【００５９】
ＷＳＳ１１−３の出力ポートout１は、ＷＳＳ１２−１の入力ポートin２に接続し、ＷＳＳ１１−３の出力ポートout２は、ＷＳＳ１２−２の入力ポートin２に接続し、ＷＳＳ１１−３の出力ポートout３は、ＷＳＳ１２−４の入力ポートin３に接続する。
【００６０】
ＷＳＳ１１−４の出力ポートout１は、ＷＳＳ１２−１の入力ポートin３に接続し、ＷＳＳ１１−４の出力ポートout２は、ＷＳＳ１２−２の入力ポートin３に接続し、ＷＳＳ１１−４の出力ポートout３は、ＷＳＳ１２−３の入力ポートin３に接続する。
【００６１】
Ａｄｄ方路において、Ａｄｄ方路Ａ＃１には、送信波長が可変な送信器Ｔｘｖ−１〜Ｔｘｖ−４０と、５台の８×１のＷＳＳ１３ａ−１〜１３ａ−５と、５×１のＷＳＳ１４−１と、光アンプ（ＷＤＭアンプ）１５−１と、１×２のカプラＣ１−１が配置される。
【００６２】
送信器Ｔｘｖ−１〜Ｔｘｖ−４０は、４０波それぞれの光信号を送信する。ＷＳＳ１３ａ−１〜１３ａ−５は、送信器Ｔｘｖ−１〜Ｔｘｖ−４０から送信される光信号を８波毎に各ＷＳＳで受信して任意の１波を出力する。ＷＳＳ１４−１は、ＷＳＳ１３ａ−１〜１３ａ−５から送信される５波の光信号を受信して任意の１波を出力する。光アンプ１５−１は、ＷＳＳ１４−１の出力を増幅してＡｄｄ信号として、カプラＣ１−１へ送信する。他のＡｄｄ方路Ａ＃２〜Ａ＃４の構成についても同様である。
【００６３】
なお、Ａｄｄ方路側に配置される１×２のカプラＣ１−１〜Ｃ１−４に対し、Ａｄｄ方路Ａ＃１に配置されるカプラＣ１−１は、受信したＡｄｄ信号を２分岐して、ＷＳＳ１１−１の入力ポートin２及びＷＳＳ１２−１の入力ポートin４へ送信する。Ａｄｄ方路Ａ＃２に配置されるカプラＣ１−２は、受信したＡｄｄ信号を２分岐して、ＷＳＳ１１−２の入力ポートin２及びＷＳＳ１２−２の入力ポートin４へ送信する。Ａｄｄ方路Ａ＃３に配置されるカプラＣ１−３は、受信したＡｄｄ信号を２分岐して、ＷＳＳ１１−３の入力ポートin２及びＷＳＳ１２−３の入力ポートin４へ送信する。Ａｄｄ方路Ａ＃４に配置されるカプラＣ１−４は、受信したＡｄｄ信号を２分岐して、ＷＳＳ１１−４の入力ポートin２及びＷＳＳ１２−４の入力ポートin４へ送信する。
【００６４】
Ｄｒｏｐ方路において、Ｄｒｏｐ方路側に配置される２×１のカプラＣ２−１〜２−４に対し、Ｄｒｏｐ方路Ｄ＃１に配置されるカプラＣ２−１は、ＷＳＳ１１−１の出力ポートout４及びＷＳＳ１２−１の出力ポートout２と接続し、いずれか一方の出力ポートから送信された光信号をＤｒｏｐ信号として出力する。Ｄｒｏｐ方路Ｄ＃２に配置されるカプラＣ２−２は、ＷＳＳ１１−２の出力ポートout４及びＷＳＳ１２−２の出力ポートout２と接続し、いずれか一方の出力ポートから送信された光信号をＤｒｏｐ信号として出力する。Ｄｒｏｐ方路Ｄ＃３に配置されるカプラＣ２−３は、ＷＳＳ１１−３の出力ポートout４及びＷＳＳ１２−３の出力ポートout２と接続し、いずれか一方の出力ポートから送信された光信号をＤｒｏｐ信号として出力する。Ｄｒｏｐ方路Ｄ＃４に配置されるカプラＣ２−４は、ＷＳＳ１１−４の出力ポートout４及びＷＳＳ１２−４の出力ポートout２と接続し、いずれか一方の出力ポートから送信された光信号をＤｒｏｐ信号として出力する。
【００６５】
Ｄｒｏｐ方路Ｄ＃１には、２×１のカプラＣ２−１、光アンプ（ＷＤＭアンプ）１６−１、１×５のＷＳＳ１７−１、１×８のＷＳＳ１８ａ−１〜１８ａ−５、受信器Ｒｘ−１〜Ｒｘ−４０が配置される。
【００６６】
光アンプ１６−１は、カプラＣ２−１から出力されたＤｒｏｐ信号を増幅する。ＷＳＳ１７−１は、５出力ポートがそれぞれ１×８のＷＳＳ１８ａ−１〜１８ａ−５の入力ポートと接続しており、ＷＳＳ１８ａ−１〜１８ａ−５は、増幅後のＤｒｏｐ信号を、任意の１ポートから出力する。ＷＳＳ１８ａ−１〜１８ａ−５の出力ポートは、８出力ポート毎に、受信器Ｒｘ−１〜Ｒｘ−８、Ｒｘ−９〜Ｒｘ−１６、Ｒｘ−１７〜Ｒｘ−２４、Ｒｘ−２５〜Ｒｘ−３２、Ｒｘ−３３〜Ｒｘ−４０に接続し、任意の出力ポートから１波を出力する。受信器Ｒｘ−１〜Ｒｘ−４０は、受信した光信号を出力する。他のＤｒｏｐ方路Ｄ＃２〜Ｄ＃４の構成についても同様である。
【００６７】
次に光クロスコネクト装置１ａにおいて、入力方路Ｒin＃１及びＡｄｄ方路Ａ＃１に注目した場合の光クロスコネクトについて図１０〜図１３を用いて説明する。図１０は光クロスコネクト方路を示す図である。Ａｄｄ方路Ａ＃１から出力方路Ｒout＃１へのＡｄｄ（方路ａｄ１）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【００６８】
ここで、図９に示した装置構成から、Ａｄｄ方路から出力方路ＲoutへＡｄｄする方路としては、カプラＣ１−１〜Ｃ１−４を介して、ＷＳＳ１１−１〜１１−４の入力ポートin２側の方路と、ＷＳＳ１２−１〜１２−４の入力ポートin４側の方路との２つがあるが、Ａｄｄ方路の番号と異なる番号の出力方路Ｒoutへ向けてＡｄｄする場合は、ＷＳＳ１１−１〜１１−４の入力ポートin２側の方路が選択され、Ａｄｄ方路の番号と同じ番号の出力方路Ｒoutへ向けてＡｄｄする場合は、ＷＳＳ１２−１〜１２−４の入力ポートin４側の方路が選択される。
【００６９】
例えば、図１０のように、Ａｄｄ方路Ａ＃１から出力方路Ｒout＃１へＡｄｄする場合は、Ａｄｄ方路と出力方路Ｒoutとが同じ番号＃１であるので、ＷＳＳ１２−１の入力ポートin４側の方路が選択されることになる。
【００７０】
図１０において、「Ａｄｄ方路Ａ＃１から出力方路Ｒout＃１へのＡｄｄ（方路ａｄ１）」と「入力方路Ｒin＃１から出力方路Ｒout＃２へのスルー（方路ｔｈ２）」との同時実行は可能である。
【００７１】
また、「Ａｄｄ方路Ａ＃１から出力方路Ｒout＃１へのＡｄｄ（方路ａｄ１）」と「入力方路Ｒin＃１から出力方路Ｒout＃３へのスルー（方路ｔｈ３）」との同時実行は可能である。
【００７２】
さらに、「Ａｄｄ方路Ａ＃１から出力方路Ｒout＃１へのＡｄｄ（方路ａｄ１）」と「入力方路Ｒin＃１から出力方路Ｒout＃４へのスルー（方路ｔｈ４）」との同時実行は可能である。
【００７３】
図１１は光クロスコネクト方路を示す図である。Ａｄｄ方路Ａ＃１から出力方路Ｒout＃２へのＡｄｄ（方路ａｄ２）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【００７４】
図１１において、「Ａｄｄ方路Ａ＃１から出力方路Ｒout＃２へのＡｄｄ（方路ａｄ２）」と「入力方路Ｒin＃１から出力方路Ｒout＃２へのスルー（方路ｔｈ２）」との同時実行は不可能となる。なぜなら、ＷＳＳの構造上、ＷＳＳ１１−１の入力ポートin１、in２に入力した光信号が、同一出力ポートout１から出力することはないからである（出力ポートout１で衝突が起きており、図５に該当する）。
【００７５】
また、「Ａｄｄ方路Ａ＃１から出力方路Ｒout＃２へのＡｄｄ（方路ａｄ２）」と「入力方路Ｒin＃１から出力方路Ｒout＃３へのスルー（方路ｔｈ３）」の同時実行は不可能となる。なぜなら、ＷＳＳの構造上、ＷＳＳ１１−１の入力ポートin１に入力した光信号がout２から出力し、入力ポートin２からの入力信号がout１から出力されるということはないからである（ねじれ現象が生じており、図６に該当する）。
【００７６】
さらに、「Ａｄｄ方路Ａ＃１から出力方路Ｒout＃２へのＡｄｄ（方路ａｄ２）」と「入力方路Ｒin＃１から出力方路Ｒout＃４へのスルー（方路ｔｈ４）」の場合も、上記と同様に、ＷＳＳ１１−１内でねじれ現象が生じるので、同時実行は不可能となる。
【００７７】
図１２は光クロスコネクト方路を示す図である。Ａｄｄ方路Ａ＃１から出力方路Ｒout＃３へのＡｄｄ（方路ａｄ３）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【００７８】
図１２において、「Ａｄｄ方路Ａ＃１から出力方路Ｒout＃３へのＡｄｄ（方路ａｄ３）」と「入力方路Ｒin＃１から出力方路Ｒout＃２へのスルー（方路ｔｈ２）」との同時実行は可能である。
【００７９】
また、「Ａｄｄ方路Ａ＃１から出力方路Ｒout＃３へのＡｄｄ（方路ａｄ３）」と「入力方路Ｒin＃１から出力方路Ｒout＃３へのスルー（方路ｔｈ３）」とは、ＷＳＳ１１−１において出力ポートout２の衝突が生じるので同時実行不可能である。
【００８０】
さらに、「Ａｄｄ方路Ａ＃１から出力方路Ｒout＃３へのＡｄｄ（方路ａｄ３）」と「入力方路Ｒin＃１から出力方路Ｒout＃４へのスルー（方路ｔｈ４）」とは、ＷＳＳ１１−１においてねじれ現象が生じるので同時実行不可能である。
【００８１】
図１３は光クロスコネクト方路を示す図である。Ａｄｄ方路Ａ＃１から出力方路Ｒout＃４へのＡｄｄ（方路ａｄ４）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【００８２】
図１３において、「Ａｄｄ方路Ａ＃１から出力方路Ｒout＃４へのＡｄｄ（方路ａｄ４）」と「入力方路Ｒin＃１から出力方路Ｒout＃２へのスルー（方路ｔｈ２）」とは、出力ポートout１、out３が隣接しないため、同時実行は不可能である（図４に該当）。
【００８３】
また、「Ａｄｄ方路Ａ＃１から出力方路Ｒout＃４へのＡｄｄ（方路ａｄ４）」と「入力方路Ｒin＃１から出力方路Ｒout＃３へのスルー（方路ｔｈ３）」との同時実行は可能である。
【００８４】
さらに、「Ａｄｄ方路Ａ＃１から出力方路Ｒout＃４へのＡｄｄ（方路ａｄ４）」と「入力方路Ｒin＃１から出力方路Ｒout＃４へのスルー（方路ｔｈ４）」とは、ＷＳＳ１１−１において出力ポートout３で衝突するため、同時実行は不可能である。
【００８５】
次に光クロスコネクト装置１ａにおいて、入力方路Ｒin＃１及びＤｒｏｐ方路Ｄ＃１に注目した場合の光クロスコネクトについて図１４〜図１７を用いて説明する。図１４は光クロスコネクト方路を示す図である。入力方路Ｒin＃１からＤｒｏｐ方路Ｄ＃１へのＤｒｏｐ（方路ｄｒ１）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【００８６】
図１４において、「入力方路Ｒin＃１からＤｒｏｐ方路Ｄ＃１へのＤｒｏｐ（方路ｄｒ１）」と「入力方路Ｒin＃１から出力方路Ｒout＃２へのスルー（方路ｔｈ２）」とは、ＷＳＳの構造上、入力ポートin１の１入力から、複数の出力ポートout１、out４への出力は不可なので同時実行は不可能である（図８に該当）。
【００８７】
また、「入力方路Ｒin＃１からＤｒｏｐ方路Ｄ＃１へのＤｒｏｐ（方路ｄｒ１）」と「入力方路Ｒin＃１から出力方路Ｒout＃３へのスルー（方路ｔｈ３）」とに対しても、上記と同じ理由で同時実行は不可能である。
【００８８】
さらに、「入力方路Ｒin＃１からＤｒｏｐ方路Ｄ＃１へのＤｒｏｐ（方路ｄｒ１）」と「入力方路Ｒin＃１から出力方路Ｒout＃４へのスルー（方路ｔｈ４）」とに対しても、上記と同じ理由で同時実行は不可能である。
【００８９】
図１５は光クロスコネクト方路を示す図である。入力方路Ｒin＃２からＤｒｏｐ方路Ｄ＃１へのＤｒｏｐ（方路ｄｒ２）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【００９０】
図１５において、「入力方路Ｒin＃２からＤｒｏｐ方路Ｄ＃１へのＤｒｏｐ（方路ｄｒ２）」と「入力方路Ｒin＃１から出力方路Ｒout＃２へのスルー（方路ｔｈ２）」とは同時実行は可能である。
【００９１】
また、「入力方路Ｒin＃２からＤｒｏｐ方路Ｄ＃１へのＤｒｏｐ（方路ｄｒ２）」と「入力方路Ｒin＃１から出力方路Ｒout＃３へのスルー（方路ｔｈ３）」とは同時実行は可能である。
【００９２】
さらに、「入力方路Ｒin＃２からＤｒｏｐ方路Ｄ＃１へのＤｒｏｐ（方路ｄｒ２）」と「入力方路Ｒin＃１から出力方路Ｒout＃４へのスルー（方路ｔｈ４）」とは、同時実行可能である。
【００９３】
図１６は光クロスコネクト方路を示す図である。入力方路Ｒin＃３からＤｒｏｐ方路Ｄ＃１へのＤｒｏｐ（方路ｄｒ３）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【００９４】
図１６において、「入力方路Ｒin＃３からＤｒｏｐ方路Ｄ＃１へのＤｒｏｐ（方路ｄｒ３）」と「入力方路Ｒin＃１から出力方路Ｒout＃２へのスルー（方路ｔｈ２）」とは同時実行は可能である。
【００９５】
また、「入力方路Ｒin＃３からＤｒｏｐ方路Ｄ＃１へのＤｒｏｐ（方路ｄｒ３）」と「入力方路Ｒin＃１から出力方路Ｒout＃３へのスルー（方路ｔｈ３）」とは同時実行は可能である。
【００９６】
さらに、「入力方路Ｒin＃３からＤｒｏｐ方路Ｄ＃１へのＤｒｏｐ（方路ｄｒ３）」と「入力方路Ｒin＃１から出力方路Ｒout＃４へのスルー（方路ｔｈ４）」とは、同時実行可能である。
【００９７】
図１７は光クロスコネクト方路を示す図である。入力方路Ｒin＃４からＤｒｏｐ方路Ｄ＃１へのＤｒｏｐ（方路ｄｒ４）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【００９８】
図１７において、「入力方路Ｒin＃４からＤｒｏｐ方路Ｄ＃１へのＤｒｏｐ（方路ｄｒ４）」と「入力方路Ｒin＃１から出力方路Ｒout＃２へのスルー（方路ｔｈ２）」とは同時実行は可能である。
【００９９】
また、「入力方路Ｒin＃４からＤｒｏｐ方路Ｄ＃１へのＤｒｏｐ（方路ｄｒ４）」と「入力方路Ｒin＃１から出力方路Ｒout＃３へのスルー（方路ｔｈ３）」とは同時実行は可能である。
【０１００】
さらに、「入力方路Ｒin＃４からＤｒｏｐ方路Ｄ＃１へのＤｒｏｐ（方路ｄｒ４）」と「入力方路Ｒin＃１から出力方路Ｒout＃４へのスルー（方路ｔｈ４）」とは、同時実行可能である。
【０１０１】
次に光クロスコネクト状態をまとめたテーブルについて説明する。図１８、図１９は光クロスコネクト状態を示すテーブルである。テーブルＴ１１は、図１０〜図１３で上述した入力方路Ｒin＃１及びＡｄｄ方路Ａ＃１に注目した場合の光クロスコネクト状態を示すテーブルであり、テーブルＴ１２は、図１４〜図１７で上述した入力方路Ｒin＃１及びＤｒｏｐ方路Ｄ＃１に注目した場合の光クロスコネクト状態をまとめたテーブルである。
【０１０２】
なお、○印は同時実行可能を示す。例えば、テーブルＴ１１の「Ａｄｄ方路Ａ＃１から出力方路Ｒout＃１」のＡｄｄスイッチングと、「入力方路Ｒin＃１から出力方路Ｒout＃２」のスルースイッチングとは同時実行可能である。
【０１０３】
また、×印は同時実行不可能（どちらか一方の実行は可能）を示し、×ａは出力ポートの衝突、×ｂはねじれ現象の発生、×ｃは出力ポートが隣接しない場合、×ｄは１入力ポートから複数出力ポートへのスイッチとして、スイッチング不可となる原因がわかるように表示している。
【０１０４】
例えば、テーブルＴ１１の「Ａｄｄ方路Ａ＃１から出力方路Ｒout＃２」のＡｄｄスイッチングと、「入力方路Ｒin＃１から出力方路Ｒout＃２」のスルースイッチングとは、出力ポートが衝突するため同時実行不可能である。
【０１０５】
図２０は光クロスコネクト状態を示すテーブルである。テーブルＴ１１、Ｔ１２の各欄の論理をとった状態を示している。テーブルＴ１１の欄の記号をａ、テーブルＴ１２の欄の記号をｂとすると、（ａ、ｂ）＝（○、○）に該当するテーブルＴ１３の欄は○、（ａ、ｂ）＝（○、×）＝（×、○）に該当するテーブルＴ１３の欄は×とする。
【０１０６】
テーブルＴ１３において○印は、スルースイッチングと、Ａｄｄ／Ｄｒｏｐスイッチングとが同時実行可能であることを示す。例えば、「入力方路Ｒin＃１→出力方路Ｒout＃２」のスルールーティングと、「Ａｄｄ方路Ａ＃１→出力方路Ｒout＃３」と、「入力方路Ｒin＃３→Ｄｒｏｐ方路Ｄ＃１」と、の３つの光クロスコネクトは同時実行可能である。
【０１０７】
また、テーブルＴ１３において×印は、スルースイッチングと、Ａｄｄ／Ｄｒｏｐスイッチングとのどちらか一方が実行可能であることを示す。例えば、「入力方路Ｒin＃１→出力方路Ｒout＃２」のスルースイッチングと、「Ａｄｄ方路Ａ＃１→出力方路Ｒout＃１」かつ「入力方路Ｒin＃１→Ｄｒｏｐ方路Ｄ＃１」のＡｄｄ／Ｄｒｏｐスイッチングと、の光クロスコネクトは同時実行不可であり、「入力方路Ｒin＃１→出力方路Ｒout＃２」のスルースイッチングのみか、または「Ａｄｄ方路Ａ＃１→出力方路Ｒout＃１」かつ「入力方路Ｒin＃１→Ｄｒｏｐ方路Ｄ＃１」のＡｄｄ／Ｄｒｏｐスイッチングのみかのいずれか一方が実行できる。
【０１０８】
ここで、入力方路Ｒinから出力方路Ｒoutへのスルースイッチングと、Ａｄｄ方路から出力方路ＲoutへのＡｄｄ及び入力方路ＲinからＤｒｏｐ方路へのＤｒｏｐのＡｄｄ／Ｄｒｏｐスイッチングとは、必ずしも時間的に同時に行われる必要はなく、いずれか一方が実行可能であればよいという前提において、テーブルＴ１３と、図３９のテーブルＴ６３とを比較すると、テーブルＴ１３では、スルースイッチングと、Ａｄｄ／Ｄｒｏｐスイッチングとを、同時実行するスイッチングパターンを削減することができている。
【０１０９】
すなわち、従来の光クロスコネクト装置６０（図３５）では、同時実行可能であったスイッチングパターンＰ１〜Ｐ４に対し、光クロスコネクト装置１ａのような構成にすることで、パターンＰ１は、「入力方路Ｒin＃１→出力方路Ｒout＃３」のスルースイッチングと、「Ａｄｄ方路Ａ＃１→出力方路Ｒout＃２」かつ「入力方路Ｒin＃２→Ｄｒｏｐ方路Ｄ＃１」のＡｄｄ／Ｄｒｏｐスイッチングとはどちらか一方を実行可能とし、パターンＰ２は、「入力方路Ｒin＃１→出力方路Ｒout＃４」のスルースイッチングと、「Ａｄｄ方路Ａ＃１→出力方路Ｒout＃２」かつ「入力方路Ｒin＃２→Ｄｒｏｐ方路Ｄ＃１」のＡｄｄ／Ｄｒｏｐスイッチングとはどちらか一方を実行可能としている。
【０１１０】
さらに、パターンＰ３は、「入力方路Ｒin＃１→出力方路Ｒout＃４」のスルースイッチングと、「Ａｄｄ方路Ａ＃１→出力方路Ｒout＃３」かつ「入力方路Ｒin＃３→Ｄｒｏｐ方路Ｄ＃１」のＡｄｄ／Ｄｒｏｐスイッチングとはどちらか一方を実行可能とし、パターンＰ４は、「入力方路Ｒin＃１→出力方路Ｒout＃２」のスルースイッチングと、「Ａｄｄ方路Ａ＃１→出力方路Ｒout＃４」かつ「入力方路Ｒin＃４→Ｄｒｏｐ方路Ｄ＃１」のＡｄｄ／Ｄｒｏｐスイッチングとはどちらか一方を実行可能としており、同時実行可能としていた無駄なスイッチングパターンの削減を実現している。
【０１１１】
以上説明したように、光クロスコネクト装置１ａの構成により、スルースイッチングとＡｄｄ／Ｄｒｏｐスイッチングとの同時実行可能な無駄な配線を削減でき、また、ＷＳＳの個数及び配線数が削減されるので、装置規模を縮小化することが可能になる。
【０１１２】
次に光クロスコネクト装置１ａの変形例について説明する。図２１は光クロスコネクト装置の構成を示す図である。変形例の光クロスコネクト装置２ａは、方路数Ｎの光クロスコネクト処理を行う場合、Ｎ個の入力方路毎に、２入力、（Ｎ＋１）出力の２×（Ｎ＋１）のＷＳＳが配置され、Ｎ個の出力方路毎に、（Ｎ＋１）入力、２出力の（Ｎ＋１）×２のＷＳＳが配置され、図の例では、方路数を４、１つの方路を通る波長多重数を４０ｃｈとした装置を示している。
【０１１３】
入力方路Ｒin＃１〜Ｒin＃４側には、２×５のＷＳＳ２１−１〜２１−４が配置され、出力方路Ｒout＃１〜Ｒout＃４側には、５×２のＷＳＳ２２−１〜２２−４が配置される。
【０１１４】
２×５のＷＳＳ２１−１〜２１−４と、５×２のＷＳＳ２２−１〜２２−４との接続関係において、ＷＳＳ２１−１の出力ポートout１（１番目出力ポート）は、ＷＳＳ２２−１の入力ポートin２（２番目入力ポート）に接続し、ＷＳＳ２１−１の出力ポートout２（２番目出力ポート）は、ＷＳＳ２２−１の入力ポートin１（１番目入力ポート）に接続し、ＷＳＳ２１−１の出力ポートout３は、ＷＳＳ２２−２の入力ポートin３に接続し、ＷＳＳ２１−１の出力ポートout４は、ＷＳＳ２２−３の入力ポートin３に接続し、ＷＳＳ２１−１の出力ポートout５は、ＷＳＳ２２−４の入力ポートin３に接続する。
【０１１５】
ＷＳＳ２１−２の出力ポートout１（１番目出力ポート）は、ＷＳＳ２２−２の入力ポートin２（２番目入力ポート）に接続し、ＷＳＳ２１−２の出力ポートout２（２番目出力ポート）は、ＷＳＳ２２−２の入力ポートin１（１番目入力ポート）に接続し、ＷＳＳ２１−２の出力ポートout３は、ＷＳＳ２２−１の入力ポートin３に接続し、ＷＳＳ２１−２の出力ポートout４は、ＷＳＳ２２−３の入力ポートin４に接続し、ＷＳＳ２１−２の出力ポートout５は、ＷＳＳ２２−４の入力ポートin４に接続する。
【０１１６】
ＷＳＳ２１−３の出力ポートout１（１番目出力ポート）は、ＷＳＳ２２−３の入力ポートin２（２番目入力ポート）に接続し、ＷＳＳ２１−３の出力ポートout２（２番目出力ポート）は、ＷＳＳ２２−３の入力ポートin１（１番目入力ポート）に接続し、ＷＳＳ２１−３の出力ポートout３は、ＷＳＳ２２−１の入力ポートin４に接続し、ＷＳＳ２１−３の出力ポートout４は、ＷＳＳ２２−２の入力ポートin４に接続し、ＷＳＳ２１−３の出力ポートout５は、ＷＳＳ２２−４の入力ポートin５に接続する。
【０１１７】
ＷＳＳ２１−４の出力ポートout１（１番目出力ポート）は、ＷＳＳ２２−４の入力ポートin２（２番目入力ポート）に接続し、ＷＳＳ２１−４の出力ポートout２（２番目出力ポート）は、ＷＳＳ２２−４の入力ポートin１（１番目入力ポート）に接続し、ＷＳＳ２１−４の出力ポートout３は、ＷＳＳ２２−１の入力ポートin５に接続し、ＷＳＳ２１−４の出力ポートout４は、ＷＳＳ２２−２の入力ポートin５に接続し、ＷＳＳ２１−４の出力ポートout５は、ＷＳＳ２２−３の入力ポートin５に接続する。
【０１１８】
Ａｄｄ方路において、Ａｄｄ方路Ａ＃１には、送信波長が可変な送信器Ｔｘｖ−１〜Ｔｘｖ−４０と、５台の８×１のＷＳＳ２３ａ−１〜２３ａ−５と、５×１のＷＳＳ２４−１と、光アンプ（ＷＤＭアンプ）２５−１が配置される。
【０１１９】
送信器Ｔｘｖ−１〜Ｔｘｖ−４０は、４０波それぞれの光信号を送信する。ＷＳＳ２３ａ−１〜２３ａ−５は、送信器Ｔｘｖ−１〜Ｔｘｖ−４０から送信される光信号を８波毎に各ＷＳＳで受信して任意の１波を出力する。ＷＳＳ２４−１は、ＷＳＳ２３ａ−１〜２３ａ−５から送信される５波の光信号を受信して任意の１波を出力する。光アンプ２５−１は、ＷＳＳ２４−１の出力を増幅してＡｄｄ信号として、ＷＳＳ２１−１へ送信する。その他のＡｄｄ方路Ａ＃２〜Ａ＃４の構成についても同様である。
【０１２０】
なお、Ａｄｄ方路側に配置される光アンプ２５−１〜２５−４に対し、Ａｄｄ方路Ａ＃１に配置される光アンプ２５−１は、出力Ａｄｄ信号をＷＳＳ２１−１の入力ポートin２へ送信する。Ａｄｄ方路Ａ＃２に配置される光アンプ２５−２は、出力Ａｄｄ信号をＷＳＳ２１−２の入力ポートin２へ送信する。Ａｄｄ方路Ａ＃３に配置される光アンプ２５−３は、出力Ａｄｄ信号をＷＳＳ２１−３の入力ポートin２へ送信する。Ａｄｄ方路Ａ＃４に配置される光アンプ２５−４は、出力Ａｄｄ信号をＷＳＳ２１−４の入力ポートin２へ送信する。
【０１２１】
Ｄｒｏｐ方路において、Ｄｒｏｐ方路側に配置される光アンプ２６−１〜２６−４に対し、Ｄｒｏｐ方路Ｄ＃１に配置される光アンプ２６−１の入力端は、ＷＳＳ２２−１の出力ポートout２と接続する。Ｄｒｏｐ方路Ｄ＃２に配置される光アンプ２６−２の入力端は、ＷＳＳ２２−２の出力ポートout２と接続する。Ｄｒｏｐ方路Ｄ＃３に配置される光アンプ２６−３の入力端は、ＷＳＳ２２−３の出力ポートout２と接続する。Ｄｒｏｐ方路Ｄ＃４に配置される光アンプ２６−４の入力端は、ＷＳＳ２２−４の出力ポートout２と接続する。
【０１２２】
Ｄｒｏｐ方路Ｄ＃１には、光アンプ（ＷＤＭアンプ）２６−１、１×５のＷＳＳ２７−１、１×８のＷＳＳ２８ａ−１〜２８ａ−５、受信器Ｒｘ−１〜Ｒｘ−４０が配置される。
【０１２３】
光アンプ２６−１は、ＷＳＳ２２−１から出力されたＤｒｏｐ信号を増幅する。ＷＳＳ２７−１は、５出力ポートがそれぞれ１×８のＷＳＳ２８ａ−１〜２８ａ−５の入力ポートと接続しており、ＷＳＳ２８ａ−１〜２８ａ−５は、増幅後のＤｒｏｐ信号を、任意の１ポートから出力する。ＷＳＳ２８ａ−１〜２８ａ−５の出力ポートは、８出力ポート毎に、受信器Ｒｘ−１〜Ｒｘ−８、Ｒｘ−９〜Ｒｘ−１６、Ｒｘ−１７〜Ｒｘ−２４、Ｒｘ−２５〜Ｒｘ−３２、Ｒｘ−３３〜Ｒｘ−４０に接続し、任意の出力ポートから１波を出力する。受信器Ｒｘ−１〜Ｒｘ−４０は、受信した光信号を出力する。その他のＤｒｏｐ方路Ｄ＃２〜Ｄ＃４の構成についても同様である。
【０１２４】
次に光クロスコネクト装置２ａにおいて、入力方路Ｒin＃１及びＡｄｄ方路Ａ＃１に注目した場合の光クロスコネクトについて図２２〜図２５を用いて説明する。図２２は光クロスコネクト方路を示す図である。Ａｄｄ方路Ａ＃１から出力方路Ｒout＃１へのＡｄｄ（方路ａｄ１）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【０１２５】
図２２において、「Ａｄｄ方路Ａ＃１から出力方路Ｒout＃１へのＡｄｄ（方路ａｄ１）」と「入力方路Ｒin＃１から出力方路Ｒout＃２へのスルー（方路ｔｈ２）」とは、ねじれ現象が生じるため同時実行は不可能である。
【０１２６】
また、「Ａｄｄ方路Ａ＃１から出力方路Ｒout＃１へのＡｄｄ（方路ａｄ１）」と「入力方路Ｒin＃１から出力方路Ｒout＃３へのスルー（方路ｔｈ３）」とは、ねじれ現象が生じるため同時実行は不可能である。
【０１２７】
さらに、「Ａｄｄ方路Ａ＃１から出力方路Ｒout＃１へのＡｄｄ（方路ａｄ１）」と「入力方路Ｒin＃１から出力方路Ｒout＃４へのスルー（方路ｔｈ４）」とは、ねじれ現象が生じるため同時実行は不可能である。
【０１２８】
図２３は光クロスコネクト方路を示す図である。Ａｄｄ方路Ａ＃１から出力方路Ｒout＃２へのＡｄｄ（方路ａｄ２）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【０１２９】
図２３において、「Ａｄｄ方路Ａ＃１から出力方路Ｒout＃２へのＡｄｄ（方路ａｄ２）」と「入力方路Ｒin＃１から出力方路Ｒout＃２へのスルー（方路ｔｈ２）」とは、ＷＳＳ２１−１の出力ポートout３で衝突するため同時実行は不可能である。
【０１３０】
また、「Ａｄｄ方路Ａ＃１から出力方路Ｒout＃２へのＡｄｄ（方路ａｄ２）」と「入力方路Ｒin＃１から出力方路Ｒout＃３へのスルー（方路ｔｈ３）」とは、ねじれ現象が生じるため同時実行は不可能である。
【０１３１】
さらに、「Ａｄｄ方路Ａ＃１から出力方路Ｒout＃２へのＡｄｄ（方路ａｄ２）」と「入力方路Ｒin＃１から出力方路Ｒout＃４へのスルー（方路ｔｈ４）」とは、ねじれ現象が生じるため同時実行は不可能である。
【０１３２】
図２４は光クロスコネクト方路を示す図である。Ａｄｄ方路Ａ＃１から出力方路Ｒout＃３へのＡｄｄ（方路ａｄ３）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【０１３３】
図２４において、「Ａｄｄ方路Ａ＃１から出力方路Ｒout＃３へのＡｄｄ（方路ａｄ３）」と「入力方路Ｒin＃１から出力方路Ｒout＃２へのスルー（方路ｔｈ２）」とは同時実行は可能である。
【０１３４】
また、「Ａｄｄ方路Ａ＃１から出力方路Ｒout＃３へのＡｄｄ（方路ａｄ３）」と「入力方路Ｒin＃１から出力方路Ｒout＃３へのスルー（方路ｔｈ３）」とは、ＷＳＳ２１−１の出力ポートout４で衝突するため同時実行は不可能である。
【０１３５】
さらに、「Ａｄｄ方路Ａ＃１から出力方路Ｒout＃３へのＡｄｄ（方路ａｄ３）」と「入力方路Ｒin＃１から出力方路Ｒout＃４へのスルー（方路ｔｈ４）」とは、ねじれ現象が生じるため同時実行は不可能である。
【０１３６】
図２５は光クロスコネクト方路を示す図である。Ａｄｄ方路Ａ＃１から出力方路Ｒout＃４へのＡｄｄ（方路ａｄ４）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【０１３７】
図２５において、「Ａｄｄ方路Ａ＃１から出力方路Ｒout＃４へのＡｄｄ（方路ａｄ４）」と「入力方路Ｒin＃１から出力方路Ｒout＃２へのスルー（方路ｔｈ２）」とは、出力ポートout３、５が隣接しないため同時実行は不可能である。
【０１３８】
また、「Ａｄｄ方路Ａ＃１から出力方路Ｒout＃４へのＡｄｄ（方路ａｄ４）」と「入力方路Ｒin＃１から出力方路Ｒout＃３へのスルー（方路ｔｈ３）」とは同時実行は可能である。
【０１３９】
さらに、「Ａｄｄ方路Ａ＃１から出力方路Ｒout＃４へのＡｄｄ（方路ａｄ４）」と「入力方路Ｒin＃１から出力方路Ｒout＃４へのスルー（方路ｔｈ４）」とは、出力ポートout５で衝突するため同時実行は不可能である。
【０１４０】
次に光クロスコネクト装置２ａにおいて、入力方路Ｒin＃１及びＤｒｏｐ方路Ｄ＃１に注目した場合の光クロスコネクトについて図２６〜図２９を用いて説明する。図２６は光クロスコネクト方路を示す図である。入力方路Ｒin＃１からＤｒｏｐ方路Ｄ＃１へのＤｒｏｐ（方路ｄｒ１）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【０１４１】
図２６において、「入力方路Ｒin＃１からＤｒｏｐ方路Ｄ＃１へのＤｒｏｐ（方路ｄｒ１）」と「入力方路Ｒin＃１から出力方路Ｒout＃２へのスルー（方路ｔｈ２）」とは、入力ポートin１の１入力から、複数の出力ポートへの出力は不可なので、同時実行は不可能である。
【０１４２】
また、「入力方路Ｒin＃１からＤｒｏｐ方路Ｄ＃１へのＤｒｏｐ（方路ｄｒ１）」と「入力方路Ｒin＃１から出力方路Ｒout＃３へのスルー（方路ｔｈ３）」とに対しても、上記と同じ理由で同時実行は不可能である。
【０１４３】
さらに、「入力方路Ｒin＃１からＤｒｏｐ方路Ｄ＃１へのＤｒｏｐ（方路ｄｒ１）」と「入力方路Ｒin＃１から出力方路Ｒout＃４へのスルー（方路ｔｈ４）」とに対しても、上記と同じ理由で同時実行は不可能である。
【０１４４】
図２７は光クロスコネクト方路を示す図である。入力方路Ｒin＃２からＤｒｏｐ方路Ｄ＃１へのＤｒｏｐ（方路ｄｒ２）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【０１４５】
図２７において、「入力方路Ｒin＃２からＤｒｏｐ方路Ｄ＃１へのＤｒｏｐ（方路ｄｒ２）」と「入力方路Ｒin＃１から出力方路Ｒout＃２へのスルー（方路ｔｈ２）」とは同時実行は可能である。
【０１４６】
また、「入力方路Ｒin＃２からＤｒｏｐ方路Ｄ＃１へのＤｒｏｐ（方路ｄｒ２）」と「入力方路Ｒin＃１から出力方路Ｒout＃３へのスルー（方路ｔｈ３）」とは同時実行は可能である。
【０１４７】
さらに、「入力方路Ｒin＃２からＤｒｏｐ方路Ｄ＃１へのＤｒｏｐ（方路ｄｒ２）」と「入力方路Ｒin＃１から出力方路Ｒout＃４へのスルー（方路ｔｈ４）」とは、同時実行可能である。
【０１４８】
図２８は光クロスコネクト方路を示す図である。入力方路Ｒin＃３からＤｒｏｐ方路Ｄ＃１へのＤｒｏｐ（方路ｄｒ３）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【０１４９】
図２８において、「入力方路Ｒin＃３からＤｒｏｐ方路Ｄ＃１へのＤｒｏｐ（方路ｄｒ３）」と「入力方路Ｒin＃１から出力方路Ｒout＃２へのスルー（方路ｔｈ２）」とは同時実行は可能である。
【０１５０】
また、「入力方路Ｒin＃３からＤｒｏｐ方路Ｄ＃１へのＤｒｏｐ（方路ｄｒ３）」と「入力方路Ｒin＃１から出力方路Ｒout＃３へのスルー（方路ｔｈ３）」とは同時実行は可能である。
【０１５１】
さらに、「入力方路Ｒin＃３からＤｒｏｐ方路Ｄ＃１へのＤｒｏｐ（方路ｄｒ３）」と「入力方路Ｒin＃１から出力方路Ｒout＃４へのスルー（方路ｔｈ４）」とは、同時実行可能である。
【０１５２】
図２９は光クロスコネクト方路を示す図である。入力方路Ｒin＃４からＤｒｏｐ方路Ｄ＃１へのＤｒｏｐ（方路ｄｒ４）と、入力方路Ｒin＃１から出力方路Ｒout＃２へのスルー（方路ｔｈ２）と、入力方路Ｒin＃１から出力方路Ｒout＃３へのスルー（方路ｔｈ３）と、入力方路Ｒin＃１から出力方路Ｒout＃４へのスルー（方路ｔｈ４）との各方路を示している。
【０１５３】
図２９において、「入力方路Ｒin＃４からＤｒｏｐ方路Ｄ＃１へのＤｒｏｐ（方路ｄｒ４）」と「入力方路Ｒin＃１から出力方路Ｒout＃２へのスルー（方路ｔｈ２）」とは同時実行は可能である。
【０１５４】
また、「入力方路Ｒin＃４からＤｒｏｐ方路Ｄ＃１へのＤｒｏｐ（方路ｄｒ４）」と「入力方路Ｒin＃１から出力方路Ｒout＃３へのスルー（方路ｔｈ３）」とは同時実行は可能である。
【０１５５】
さらに、「入力方路Ｒin＃４からＤｒｏｐ方路Ｄ＃１へのＤｒｏｐ（方路ｄｒ４）」と「入力方路Ｒin＃１から出力方路Ｒout＃４へのスルー（方路ｔｈ４）」とは、同時実行可能である。
【０１５６】
次に光クロスコネクト状態をまとめたテーブルについて説明する。図３０、図３１は光クロスコネクト状態を示すテーブルである。テーブルＴ２１は、図２２〜図２５で上述した入力方路Ｒin＃１及びＡｄｄ方路Ａ＃１に注目した場合の光クロスコネクト状態を示すテーブルであり、テーブルＴ２２は、図２６〜図２９で上述した入力方路Ｒin＃１及びＤｒｏｐ方路Ｄ＃１に注目した場合の光クロスコネクト状態をまとめたテーブルである。なお、テーブルの見方は図１８、図１９と同様なので説明は省略する。
【０１５７】
図３２は光クロスコネクト状態を示すテーブルである。テーブルＴ２３は、テーブルＴ２１、Ｔ２２の各欄の論理をとった状態を示している。テーブルＴ２１の欄の記号をａ、テーブルＴ２２の欄の記号をｂとすると、（ａ、ｂ）＝（○、○）に該当するテーブルＴ２３の欄は○、（ａ、ｂ）＝（×、×）＝（×、○）に該当するテーブルＴ２３の欄は×とする。
【０１５８】
テーブルＴ２３において○印は、スルースイッチングと、Ａｄｄ／Ｄｒｏｐスイッチングとが同時実行可能であることを示す。例えば、「入力方路Ｒin＃１→出力方路Ｒout＃２」のスルールーティングと、「Ａｄｄ方路Ａ＃１→出力方路Ｒout＃３」と、「入力方路Ｒin＃３→Ｄｒｏｐ方路Ｄ＃１」と、の３つの光クロスコネクトは同時実行可能である。
【０１５９】
また、テーブルＴ２３において×印は、スルースイッチングと、Ａｄｄ／Ｄｒｏｐスイッチングとのどちらか一方が実行可能であることを示す。例えば、「入力方路Ｒin＃１→出力方路Ｒout＃２」のスルースイッチングと、「Ａｄｄ方路Ａ＃１→出力方路Ｒout＃１」かつ「入力方路Ｒin＃１→Ｄｒｏｐ方路Ｄ＃１」のＡｄｄ／Ｄｒｏｐスイッチングと、の光クロスコネクトは同時実行不可であり、「入力方路Ｒin＃１→出力方路Ｒout＃２」のスルースイッチングのみか、または「Ａｄｄ方路Ａ＃１→出力方路Ｒout＃１」かつ「入力方路Ｒin＃１→Ｄｒｏｐ方路Ｄ＃１」のＡｄｄ／Ｄｒｏｐスイッチングのみかのいずれか一方が実行できる。
【０１６０】
ここで、入力方路Ｒinから出力方路Ｒoutへのスルースイッチングと、Ａｄｄ方路から出力方路ＲoutへのＡｄｄ及び入力方路ＲinからＤｒｏｐ方路へのＤｒｏｐのＡｄｄ／Ｄｒｏｐスイッチングとは、必ずしも時間的に同時に行われる必要はなく、いずれか一方が実行可能であればよいという前提において、テーブルＴ２３と、図３９のテーブルＴ６３とを比較すると、テーブルＴ２３では、スルースイッチングと、Ａｄｄ／Ｄｒｏｐスイッチングとを、同時実行するスイッチングパターンを削減することができている。
【０１６１】
すなわち、従来の光クロスコネクト装置６０（図３５）では、同時実行可能であったスイッチングパターンＰ１〜Ｐ４に対し、光クロスコネクト装置１ａのような構成にすることで、パターンＰ１は、「入力方路Ｒin＃１→出力方路Ｒout＃３」のスルースイッチングと、「Ａｄｄ方路Ａ＃１→出力方路Ｒout＃２」かつ「入力方路Ｒin＃２→Ｄｒｏｐ方路Ｄ＃１」のＡｄｄ／Ｄｒｏｐスイッチングとはどちらか一方を実行可能とし、パターンＰ２は、「入力方路Ｒin＃１→出力方路Ｒout＃４」のスルースイッチングと、「Ａｄｄ方路Ａ＃１→出力方路Ｒout＃２」かつ「入力方路Ｒin＃２→Ｄｒｏｐ方路Ｄ＃１」のＡｄｄ／Ｄｒｏｐスイッチングとはどちらか一方を実行可能としている。
【０１６２】
さらに、パターンＰ３は、「入力方路Ｒin＃１→出力方路Ｒout＃４」のスルースイッチングと、「Ａｄｄ方路Ａ＃１→出力方路Ｒout＃３」かつ「入力方路Ｒin＃３→Ｄｒｏｐ方路Ｄ＃１」のＡｄｄ／Ｄｒｏｐスイッチングとはどちらか一方を実行可能とし、パターンＰ４は、「入力方路Ｒin＃１→出力方路Ｒout＃２」のスルースイッチングと、「Ａｄｄ方路Ａ＃１→出力方路Ｒout＃４」かつ「入力方路Ｒin＃４→Ｄｒｏｐ方路Ｄ＃１」のＡｄｄ／Ｄｒｏｐスイッチングとはどちらか一方を実行可能としており、同時実行可能としていた無駄なスイッチングパターンの削減を実現している。
【０１６３】
このように、光クロスコネクト装置２ａのような構成とすることによっても、光クロスコネクト装置１ａと同じスイッチングパターンを生成することが可能である。
以上説明したように、光クロスコネクト装置２ａの構成により、スルースイッチングとＡｄｄ／Ｄｒｏｐスイッチングとの同時実行可能な無駄な配線を削減でき、また、ＷＳＳの個数及び配線数が削減されるので、装置規模を縮小化することが可能になる。
【図面の簡単な説明】
【０１６４】
【図１】光クロスコネクト装置の原理図である。
【図２】２×ＮのＷＳＳの基本構成を示す図である。
【図３】Ｎ×２のＷＳＳの基本構成を示す図である。
【図４】２×ＮのＷＳＳがスイッチ不可となる状態を示す図である。
【図５】２×ＮのＷＳＳがスイッチ不可となる状態を示す図である。
【図６】２×ＮのＷＳＳがスイッチ不可となる状態を示す図である。
【図７】２×ＮのＷＳＳがスイッチ不可となる状態を示す図である。
【図８】２×ＮのＷＳＳがスイッチ不可となる状態を示す図である。
【図９】光クロスコネクト装置の構成を示す図である。
【図１０】光クロスコネクト方路を示す図である。
【図１１】光クロスコネクト方路を示す図である。
【図１２】光クロスコネクト方路を示す図である。
【図１３】光クロスコネクト方路を示す図である。
【図１４】光クロスコネクト方路を示す図である。
【図１５】光クロスコネクト方路を示す図である。
【図１６】光クロスコネクト方路を示す図である。
【図１７】光クロスコネクト方路を示す図である。
【図１８】光クロスコネクト状態を示すテーブルである。
【図１９】光クロスコネクト状態を示すテーブルである。
【図２０】光クロスコネクト状態を示すテーブルである。
【図２１】光クロスコネクト装置の構成を示す図である。
【図２２】光クロスコネクト方路を示す図である。
【図２３】光クロスコネクト方路を示す図である。
【図２４】光クロスコネクト方路を示す図である。
【図２５】光クロスコネクト方路を示す図である。
【図２６】光クロスコネクト方路を示す図である。
【図２７】光クロスコネクト方路を示す図である。
【図２８】光クロスコネクト方路を示す図である。
【図２９】光クロスコネクト方路を示す図である。
【図３０】光クロスコネクト状態を示すテーブルである。
【図３１】光クロスコネクト状態を示すテーブルである。
【図３２】光クロスコネクト状態を示すテーブルである。
【図３３】１×ＮのＷＳＳの基本構成を示す図である。
【図３４】従来の光クロスコネクト装置の構成を示す図である。
【図３５】従来の光クロスコネクト装置の構成を示す図である。
【図３６】ＷＳＳの入出力ポート番号を示す図である。
【図３７】光クロスコネクト状態を示すテーブルである。
【図３８】光クロスコネクト状態を示すテーブルである。
【図３９】光クロスコネクト状態を示すテーブルである。
【符号の説明】
【０１６５】
１  光クロスコネクト装置
１１−１〜１１−Ｎ  ２×Ｎ波長選択スイッチ
１２−１〜１２−Ｎ  Ｎ×２波長選択スイッチ
【図１】
2008147804.tif 000003
【図２】
2008147804.tif 000004
【図３】
2008147804.tif 000005
【図４】
2008147804.tif 000006
【図５】
2008147804.tif 000007
【図６】
2008147804.tif 000008
【図７】
2008147804.tif 000009
【図８】
2008147804.tif 000010
【図９】
2008147804.tif 000011
【図１０】
2008147804.tif 000012
【図１１】
2008147804.tif 000013
【図１２】
2008147804.tif 000014
【図１３】
2008147804.tif 000015
【図１４】
2008147804.tif 000016
【図１５】
2008147804.tif 000017
【図１６】
2008147804.tif 000018
【図１７】
2008147804.tif 000019
【図１８】
2008147804.tif 000020
【図１９】
2008147804.tif 000021
【図２０】
2008147804.tif 000022
【図２１】
2008147804.tif 000023
【図２２】
2008147804.tif 000024
【図２３】
2008147804.tif 000025
【図２４】
2008147804.tif 000026
【図２５】
2008147804.tif 000027
【図２６】
2008147804.tif 000028
【図２７】
2008147804.tif 000029
【図２８】
2008147804.tif 000030
【図２９】
2008147804.tif 000031
【図３０】
2008147804.tif 000032
【図３１】
2008147804.tif 000033
【図３２】
2008147804.tif 000034
【図３３】
2008147804.tif 000035
【図３４】
2008147804.tif 000036
【図３５】
2008147804.tif 000037
【図３６】
2008147804.tif 000038
【図３７】
2008147804.tif 000039
【図３８】
2008147804.tif 000040
【図３９】
2008147804.tif 000041